(57)【要約】【課題】大型化を抑制しながら、持ち上げる際の安定性を確保することが可能な画像形成装置を提供する。【解決手段】画像形成装置１００は、装置本体１と、カセット挿抜方向に沿って伸長状態と収縮状態とに伸縮可能な給紙カセット２０と、を備える。装置本体１には、装置本体１を持ち上げるための第１取手部９が設けられている。給紙カセット２０は、カセット本体３０と、カセット本体３０に対してカセット挿抜方向にスライド可能に設けられるカセット延長部４０と、を有する。カセット延長部４０は、伸長状態において装置本体１からカセット挿抜方向の一方側に突出する。カセット延長部４０のうちの伸長状態において装置本体１から突出する部分には、装置本体１を持ち上げるための第２取手部４６が設けられている。【選択図】図４
2019113691.tif 000002
【特許請求の範囲】
【請求項１】
装置本体と、
前記装置本体のカセット装着部に対して挿抜可能で、カセット挿抜方向に沿って伸長状態と収縮状態とに伸縮可能なシート収納カセットと、
を備え、
前記装置本体には、前記装置本体を持ち上げるための第１取手部が設けられており、
前記シート収納カセットは、カセット本体と、前記カセット本体に対して前記カセット挿抜方向にスライド可能に設けられるカセット延長部と、を有し、
前記カセット延長部は、前記伸長状態において前記装置本体から前記カセット挿抜方向の一方側に突出し、
前記カセット延長部のうちの前記伸長状態において前記装置本体から突出する部分には、前記装置本体を持ち上げるための第２取手部が設けられていることを特徴とする画像形成装置。
【請求項２】
前記第１取手部は、前記装置本体の前記カセット挿抜方向と直交するカセット幅方向の両側面に設けられており、
前記第２取手部は、前記カセット延長部の前記カセット幅方向の両側面に設けられていることを特徴とする請求項１に記載の画像形成装置。
【請求項３】
前記第１取手部および前記第２取手部の各々には、前記カセット挿抜方向に延びる複数のリブが設けられていることを特徴とする請求項２に記載の画像形成装置。
【請求項４】
前記カセット延長部は、延長部底面と、前記延長部底面の前記カセット挿抜方向と直交するカセット幅方向の両端縁に立設される一対の第１延長部側面と、前記延長部底面の前記カセット挿抜方向の一方側の端縁に立設される第２延長部側面と、を有し、
前記延長部底面、前記一対の第１延長部側面、および前記第２延長部側面には、補強板金が設けられていることを特徴とする請求項１〜３のいずれか１項に記載の画像形成装置。
【請求項５】
前記第１取手部は、前記装置本体の重心位置に対して前記カセット挿抜方向の他方側に配置されていることを特徴とする請求項１〜４のいずれか１項に記載の画像形成装置。
【請求項６】
前記第１取手部および前記第２取手部は、互いに略同じ高さ位置に設けられていることを特徴とする請求項１〜５のいずれか１項に記載の画像形成装置。
【発明の詳細な説明】
【技術分野】
【０００１】
本発明は、画像形成装置に関し、特に、カセット挿抜方向に沿って伸縮可能なシート収納カセットを備える画像形成装置に関する。
【背景技術】
【０００２】
従来、複写機、プリンター、複合機等の画像形成装置を運搬および設置するために、装置本体の所定位置に装置本体を持ち上げるための凹状の取手部が設けられた画像形成装置が知られている。
【０００３】
また、従来、装置本体に対して出し入れ可能な棒状の取手部材が設けられた画像形成装置も知られている。
【０００４】
なお、装置本体に凹状の取手部が設けられた画像形成装置は、例えば特許文献１に開示されており、装置本体に対して出し入れ可能な棒状の取手部材が設けられた画像形成装置は、例えば特許文献２に開示されている。
【先行技術文献】
【特許文献】
【０００５】
【特許文献１】特開２００９−２４４６７３号公報
【特許文献２】特開２００４−２４０４４４号公報
【発明の概要】
【発明が解決しようとする課題】
【０００６】
ところで、画像形成装置の取手部は装置本体の重心位置を加味して設ける必要があるが、上記凹状の取手部が設けられる画像形成装置では、装置本体の構成等の制約により、取手部を装置本体の最適な位置に設けることができない場合がある。この場合、画像形成装置を持ち上げる際に画像形成装置の安定性を確保することが困難であるという問題点がある。
【０００７】
また、上記棒状の取手部材が設けられる画像形成装置では、棒状の取手部材を装置本体に対して出し入れ可能に設けるためのスペースが必要となり、画像形成装置が大型化するという問題点がある。
【０００８】
本発明は、上記のような課題を解決するためになされたものであり、本発明の目的は、大型化を抑制しながら、持ち上げる際の安定性を確保することが可能な画像形成装置を提供することである。
【課題を解決するための手段】
【０００９】
上記目的を達成するために、本発明の一局面の画像形成装置は、装置本体と、装置本体のカセット装着部に対して挿抜可能で、カセット挿抜方向に沿って伸長状態と収縮状態とに伸縮可能なシート収納カセットと、を備える。装置本体には、装置本体を持ち上げるための第１取手部が設けられている。シート収納カセットは、カセット本体と、カセット本体に対してカセット挿抜方向にスライド可能に設けられるカセット延長部と、を有する。カセット延長部は、伸長状態において装置本体からカセット挿抜方向の一方側に突出する。カセット延長部のうちの伸長状態において装置本体から突出する部分には、装置本体を持ち上げるための第２取手部が設けられている。
【発明の効果】
【００１０】
本発明の一局面の画像形成装置によれば、装置本体には、装置本体を持ち上げるための第１取手部が設けられており、カセット延長部のうちの伸長状態において装置本体から突出する部分には、装置本体を持ち上げるための第２取手部が設けられている。これにより、画像形成装置を持ち上げる際に第１取手部だけでなく第２取手部も用いることができるので、画像形成装置の安定性を確保することができる。
【００１１】
また、第２取手部をカセット延長部に設けることによって、棒状の取手部材等を装置本体に別途設ける場合と異なり、画像形成装置が大型化するのを抑制することができる。
【図面の簡単な説明】
【００１２】
【図１】本発明の一実施形態の画像形成装置の構造を示す側面図である。
【図２】本発明の一実施形態の画像形成装置の下部の構造を下方から示す斜視図であり、給紙カセットを伸長させた状態を示す図である。
【図３】本発明の一実施形態の画像形成装置の下部の構造を示す側面図であり、給紙カセットを伸長させた状態を示す図である。
【図４】本発明の一実施形態の画像形成装置の下部の構造を示す斜視図であり、給紙カセットを伸長させた状態を示す図である。
【図５】本発明の一実施形態の画像形成装置の下部の構造を示す斜視図であり、給紙カセットを収縮させた状態を示す図である。
【図６】本発明の一実施形態の画像形成装置の給紙カセットのカセット延長部の構造を上方から示す斜視図である。
【図７】本発明の一実施形態の画像形成装置の給紙カセットのカセット延長部の構造を下方から示す斜視図である。
【発明を実施するための形態】
【００１３】
以下、本発明の実施形態について図面を参照して説明する。
【００１４】
図１は、本発明の一実施形態の画像形成装置１００の構造を示す側面図であり、左側を画像形成装置１００の前方側として図示している。図１に示すように、画像形成装置１００（ここではデジタル複合機）は、装置本体（画像形成装置本体）１と、その上部に配設された画像読取装置２と、を備える。
【００１５】
画像読取装置２は、コンタクトガラス（図示せず）上の原稿の画像情報を読み取る。画像読取装置２の正面部（図１の左側）には、操作ボタンや表示部を有する操作パネル３が設けられている。画像読取装置２上には、原稿束から１枚ずつの原稿を自動的に順次コンタクトガラス（図示せず）上に送る自動原稿搬送装置４が開閉可能に設けられている。
【００１６】
装置本体１の正面部には、画像形成された用紙（シート）が１枚ずつ排出される第１排出部６と、第１排出部６の上方に配置され、後処理が施された用紙又は用紙束が排出される第２排出部７と、が設けられている。
【００１７】
装置本体１内部の下部には、カセット装着部１ａが設けられており、カセット装着部１ａには、用紙を収納する給紙カセット（シート収納カセット）２０が装置本体１に対して着脱可能に設けられている。給紙カセット２０は、装置本体１の正面Ｓ１から着脱されるように構成されている。図１において右方向（矢印Ａ方向）が給紙カセット２０の挿入方向であり、左方向（矢印Ａ´方向）が給紙カセット２０の引き出し方向である。給紙カセット２０の詳細構造については、後述する。
【００１８】
また、装置本体１には、画像形成装置１００を持ち上げるための第１取手部９が設けられている。本実施形態では、第１取手部９は、一対設けられており、装置本体１のカセット挿抜方向と直交するカセット幅方向（図１の紙面に対して垂直方向）の両側の側面１ｂの下端部に設けられている。第１取手部９は図２に示すように、凹状に形成されており、その上面（指を掛ける面）には、カセット挿抜方向（矢印ＡＡ´方向）に延びる複数のリブ９ａが設けられている。
【００１９】
第１取手部９は図１に示すように、装置本体１の重心位置Ｐ１に対してカセット引き出し方向下流側（矢印Ａ´方向）にずれた位置に配置されている。
【００２０】
装置本体１の内部には、画像形成部１１、定着部１２、後処理部１３、用紙搬送部（図示せず）などが設けられている。給紙カセット２０の用紙は、矢印Ａ´方向に給紙された後、搬送方向を矢印Ａ方向に変更され、画像形成部１１に搬送される。画像形成部１１は、画像読取装置２により読み込んだ画像データに基づいて、供給される用紙にトナー像を転写して画像を形成する。定着部１２は、トナー像が転写された用紙を加熱及び加圧することにより、用紙上にトナー像を定着させる。定着部１２を通過した用紙は、第１排出部６に排出され、又は後処理部１３に搬送される。
【００２１】
後処理部１３は、画像が形成された用紙を複数枚スタックして、スタックされた用紙束をまとめてステープルで綴じる綴じ処理、及びパンチ穴形成装置でパンチ穴（穿孔）を空けるパンチ穴形成処理等の後処理を実行可能である。後処理部１３を通過した用紙又は用紙束は、第２排出部７に排出される。
【００２２】
次に、給紙カセット２０の構成について説明する。
【００２３】
給紙カセット２０は、装置本体１の正面Ｓ１（図１の左面）からカセット装着部１ａに対して挿抜可能に構成されている。給紙カセット２０のカセット引き出し方向下流側（図１の左側）には、画像形成装置１００の外装面の一部を構成するカセットカバー２１が設けられている。カセットカバー２１の下端部には図２に示すように、給紙カセット２０を引き出す際に指を掛けるための凹状の取手部２１ａが設けられている。
【００２４】
給紙カセット２０は、カセット挿抜方向（矢印ＡＡ´方向）に沿って伸長状態（図２〜図４の状態）と収縮状態（図５の状態）とに伸縮可能に構成されている。なお、装置本体１の背面の下部（カセット装着部１ａの後側）には、給紙カセット２０を伸長状態にするための開口部１ｄが設けられている。
【００２５】
給紙カセット２０は図４および図５に示すように、樹脂製のカセット本体３０と、カセット本体３０に対してカセット挿抜方向（矢印ＡＡ´方向）にスライド可能に設けられる樹脂製のカセット延長部４０と、を有する。カセット延長部４０は、カセット本体３０の内面に沿ってスライドするように構成されている。
【００２６】
カセット本体３０は、カセット本体底面３１と、カセット本体底面３１のカセット挿抜方向と直交するカセット幅方向（矢印ＢＢ´方向）の両側の端縁に立設される一対のカセット本体側面３２と、カセット本体底面３１のカセット引き出し方向下流側（矢印Ａ´方向）の端縁に立設されるカセット本体前面（図示せず）と、を有する。カセットカバー２１（図１参照）は、カセット本体３０のカセット本体前面に固定されている。
【００２７】
カセット本体３０は、装置本体１内に設けられカセット挿抜方向に延びる一対のレール部１ｃ（図２参照）に摺動可能に形成されている。カセット本体３０をレール部１ｃに沿って摺動させることにより、給紙カセット２０は装置本体１に対して挿入及び引き出し可能となっている。
【００２８】
カセット延長部４０は図６および図７に示すように、延長部底面４１と、延長部底面４１のカセット幅方向（矢印ＢＢ´方向）の両側の端縁に立設される一対の第１延長部側面４２と、延長部底面４１のカセット挿入方向下流側（矢印Ａ方向）の端縁に立設される第２延長部側面４３と、を有する。
【００２９】
図４に示すように、カセット本体３０のカセット本体底面３１、一対のカセット本体側面３２、及びカセット本体前面（図示せず）と、カセット延長部４０の延長部底面４１、一対の第１延長部側面４２、及び第２延長部側面４３と、によって、用紙を収容する用紙収容部Ｓが構成されている。カセット延長部４０がカセット本体３０に対してスライドすることによって、用紙収容部Ｓが伸縮する。なお、用紙収容部Ｓは、給紙カセット２０の収縮状態（通常使用状態、最小状態、図５の状態）においてＡ４サイズ横、レターサイズ横に対応しており、給紙カセット２０の伸長状態（最大状態、図４の状態）においてＡ４サイズ縦、レターサイズ縦、リーガルサイズに対応している。
【００３０】
用紙収容部Ｓの内部には、用紙が積載される用紙積載板３３が設けられている。用紙積載板３３は、給紙方向上流側（矢印Ａ方向）の端部に設けられた揺動軸を支点として、給紙方向下流側（矢印Ａ´方向）の端部が上下に昇降可能に構成されている。用紙積載板３３は、カセット本体３０に設けられている。
【００３１】
また、用紙積載板３３のカセット幅方向（矢印ＢＢ´方向）の両側には、用紙積載板３３に積載される用紙の幅方向の位置決めを行う一対の幅合わせカーソル３４が、カセット本体底面３１に形成された案内溝に沿ってそれぞれカセット幅方向に往復移動可能に設けられている。カセット延長部４０には、用紙の後端の位置決めを行う後端カーソル４４が設けられている。カセット延長部４０の引き出し量によって、後端カーソル４４の位置が調整される。
【００３２】
図６および図７に示すように、カセット延長部４０の一対の第１延長部側面４２の外面には、カセット挿抜方向（矢印ＡＡ´方向）に延びる金属製の摺動レール（被ガイド部）４５が設けられている。図４に示すように、カセット本体３０の一対のカセット本体側面３２の内面には、カセット挿抜方向に延びるとともに摺動レール４５をガイドする金属製のガイドレール３５が設けられている。カセット延長部４０の摺動レール４５がカセット本体３０のガイドレール３５に沿ってスライドすることによって、給紙カセット２０が伸縮する。
【００３３】
カセット延長部４０は、給紙カセット２０の収縮状態（図５の状態）において装置本体１の開口部１ｄから突出しないように配置され、給紙カセット２０の伸長状態（図３および図４の状態）において装置本体１の開口部１ｄからカセット引き出し方向上流側（矢印Ａ方向）に突出する。なお、カセット本体３０には、カセット延長部４０に係合してカセット延長部４０の移動範囲を規制する規制部（図示せず）が設けられている。
【００３４】
ここで、本実施形態では、カセット延長部４０のうちの伸長状態において装置本体１から突出する部分には、装置本体１を持ち上げるための第２取手部４６が設けられている。本実施形態では図７に示すように、第２取手部４６は、一対設けられており、カセット延長部４０の一対の第１延長部側面（側面）４２の下端部に設けられている。第２取手部４６は、凹状に形成されており、その上面（指を掛ける面）には、カセット挿抜方向（矢印ＡＡ´方向）に延びる複数のリブ４６ａが設けられている。
【００３５】
第２取手部４６は、装置本体１の重心位置Ｐ１（図１参照）に対してカセット引き出し方向上流側（矢印Ａ方向）に配置されている。また、第２取手部４６は、装置本体１の重心位置Ｐ１よりも下方に配置されており、装置本体１の第１取手部９と略同じ高さ位置に設けられている。
【００３６】
また、図６に示すように、カセット延長部４０の延長部底面４１、一対の第１延長部側面４２、及び第２延長部側面４３には、カセット延長部４０の剛性を高くするための補強板金４７が設けられている。補強板金４７は、１枚の板金に折り曲げ加工等を施すことによって形成されており、カセット延長部４０の内面にネジ止めされている。なお、摺動レール４５は、第１延長部側面４２を挟み込んだ状態でネジ４８を用いて補強板金４７に固定されている。
【００３７】
この画像形成装置１００では、画像形成装置１００の運搬や設置を行う場合、カセット延長部４０がカセット本体３０に対して矢印Ａ方向にスライドされることにより、給紙カセット２０が伸長状態になる。これにより、第２取手部４６は装置本体１から突出するように配置される。そして、例えば二人で画像形成装置１００の左右方向（矢印ＢＢ´方向）の両側から第１取手部９および第２取手部４６を用いて画像形成装置１００を持ち上げる。
【００３８】
本実施形態では、上記のように、装置本体１には第１取手部９が設けられており、カセット延長部４０のうちの伸長状態において装置本体１から突出する部分には第２取手部４６が設けられている。これにより、画像形成装置１００を持ち上げる際に第１取手部９だけでなく第２取手部４６も用いることができるので、画像形成装置１００の安定性を確保することができる。
【００３９】
また、第２取手部４６をカセット延長部４０に設けることによって、棒状の取手部材等を装置本体１に別途設ける場合と異なり、画像形成装置１００が大型化するのを抑制することができる。
【００４０】
また、上記のように、第１取手部９は、装置本体１のカセット幅方向の両側の側面１ｂに設けられており、第２取手部４６は、カセット延長部４０のカセット幅方向の両側の第１延長部側面４２に設けられている。これにより、二人で画像形成装置１００を持ち上げる際に、それぞれが第１取手部９および第２取手部４６を用いることができるので、持ち上げ（運搬）作業性を向上させることができる。
【００４１】
また、上記のように、第１取手部９および第２取手部４６には、カセット挿抜方向に延びる複数のリブ９ａおよび４６ａがそれぞれ設けられている。これにより、第１取手部９および第２取手部４６に対して指が滑るのを抑制することができる。
【００４２】
また、上記のように、カセット延長部４０の延長部底面４１、一対の第１延長部側面４２、および第２延長部側面４３には、補強板金４７が設けられている。これにより、第２取手部４６を用いて画像形成装置１００を持ち上げる際にカセット延長部４０が変形するのを抑制することができる。
【００４３】
また、上記のように、第１取手部９が装置本体１の重心位置Ｐ１に対してカセット引き出し方向下流側（矢印Ａ´方向）に配置されている場合、カセット延長部４０のうちの伸長状態において装置本体１からカセット引き出し方向上流側（矢印Ａ方向）に突出する部分に、第２取手部４６を設けることによって、装置本体１の重心位置Ｐ１に対してカセット挿抜方向の両側から画像形成装置１００を持ち上げることができるので、画像形成装置１００の安定性を容易に向上させることができる。従って、第１取手部９が装置本体１の重心位置Ｐ１に対してカセット挿抜方向にずれた位置（ここでは、カセット引き出し方向下流側）に配置されている場合に本発明を適用することは、特に有効である。
【００４４】
また、上記のように、第１取手部９および第２取手部４６は、互いに略同じ高さ位置に設けられている。これにより、画像形成装置１００を持ち上げる際に画像形成装置１００の安定性をより向上させることができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
例えば、上記実施形態では、複合機に本発明を適用した例について示したが、本発明はこれに限らない。言うまでもなく、プリンター、複写機、ファクシミリ等の、伸縮可能なシート収納カセットを備えた種々の画像形成装置に本発明を適用できる。
【００４７】
また、上記実施形態では、第１取手部９を装置本体１のカセット幅方向の両側の側面１ｂに設けるとともに、第２取手部４６をカセット延長部４０のカセット幅方向の両側の第１延長部側面４２に設けた例について示したが、本発明はこれに限らない。例えば、第１取手部９を装置本体１の正面部に１つ以上設けてもよいし、第２取手部４６をカセット延長部４０の第２延長部側面４３に１つ以上設けてもよい。この場合、例えば二人で画像形成装置１００の前側と後側から第１取手部９および第２取手部４６を用いて画像形成装置１００を持ち上げる。
【００４８】
また、上記実施形態では、補強板金４７をカセット延長部４０の内面に設ける例について示したが、本発明はこれに限らず、補強板金４７をカセット延長部４０の外面に設けてもよい。
【００４９】
また、上記実施形態では、カセット延長部４０に補強板金４７を設ける例について示したが、本発明はこれに限らない。例えば、カセット延長部４０自体を板金により形成し、補強板金４７を設けなくてもよい。
【符号の説明】
【００５０】
１  装置本体
１ａ  カセット装着部
１ｂ  側面
９  第１取手部
９ａ  リブ
２０  給紙カセット（シート収納カセット）
３０  カセット本体
４０  カセット延長部
４１  延長部底面
４２  第１延長部側面（側面）
４３  第２延長部側面
４６  第２取手部
４６ａ  リブ
４７  補強板金
１００  画像形成装置
Ｐ１  重心位置
【図１】
2019113691.tif 000003
【図２】
2019113691.tif 000004
【図３】
2019113691.tif 000005
【図４】
2019113691.tif 000006
【図５】
2019113691.tif 000007
【図６】
2019113691.tif 000008
【図７】
2019113691.tif 000009